(57)【特許請求の範囲】
【請求項１】
少なくとも，同軸ケーブルの端部に装着するコネクタ本体と，コネクタ本体の前方に備えられた接続対象と接続するための接続手段と，該接続手段の外周上に嵌装された筒状の操作手段と，からなり，パネルに形成された所定深さの凹部内にその底面中央よりＦ型レセプタクルが突設したテレビジョン共同受信用直列ユニットにおける前記レセプタクルを、前記接続手段の接続対象とする同軸ケーブルコネクタにおいて，
前記操作手段は，該操作手段の前方側開口端部に，径方向外方に突出させた環状突起を備えており，
前記環状突起は、径方向外方に突出する前後方向の位置が、当該同軸ケーブルコネクタを前記レセプタクルに接続した場合に前記凹部の開放端面を閉塞できる位置に定められている
ことを特徴とする同軸ケーブルコネクタ。
【請求項２】
前記環状突起の前方端部には，その外周が先細の前方先端部から肉厚を徐々に厚く成るように円錐状に形成された円錐状部が備えられ，
該円錐状部の前方先端部の外周径は前記凹部の開放面の内周径より小さく，円錐状部の後方後端部の外周径は前記凹部の開放面の周径と同じか大きくなるように形成されており，
前記環状突起は、径方向外方に突出する前後方向の位置が、当該同軸ケーブルコネクタを前記レセプタクルに接続した場合に前記凹部の開放端面を閉塞できる位置に定められている
ことを特徴とした請求項１に記載の同軸ケーブルコネクタ。
【発明の詳細な説明】
【技術分野】
【０００１】
本発明は，同軸ケーブルの端部に装着する同軸ケーブルコネクタの構造に関する。
【背景技術】
【０００２】
従来，同軸ケーブルの端部に装着する，円筒部材の中心にコンタクトピンを配置してなる同軸プラグにおいて，接続対象であるＦ型レセプタクルの外周面に形成された雄ネジの先端部分と螺合する雌ネジ部を上記円筒部材の内側に設けたものや，加えて，上記円筒部材の内面で前記雌ネジ部と前記円筒部材の開口部との間に，円筒部材の周方向に複数個配置されたリーフスプリングを設けたものが提案されている。この同軸プラグの接続は，円筒部材の先端開口をＦ型レセプタクルに係合させて，雄ネジ部の先端が円筒部材内面に形成された雌ネジ部に接触するまで押し込み，その後は円筒部材を回転させて雌ネジ部をＦ型レセプタクルの雄ネジに螺合させる。そして，円筒部材の外面には操作手段としてセレーションが形成されており，Ｆ型レセプタクルへの接続時の円筒部材の回転を容易にしている。
ところで，接続対象のＦ型レセプタクルには，分配器や分岐器に良く見られるようにハウジングから外方に突設した突出型のものや，テレビ端子のように，パネルに形成された凹部内にその底面中央よりＦ型レセプタクルが突設した非突出型のものがあり，特に後者は，Ｆ型レセプタクル周囲の凹部が狭いため，前記操作手段が該凹部に一部を重合するような位置にあっては，最後まで締付けることが難しくなり操作手段としての役割をなしえない。このため，操作手段は同軸ケーブルコネクタの後方側に備えさせ，テレビ端子に容易に接続できるように構成されているのが一般的であった。
（例えば，特許文献１参照）
【０００３】
【特許文献１】特開号公報
【発明の開示】
【発明が解決しようとする課題】
【０００４】
ところが，一般的に，上述のようなパネルに形成された凹部内にその底面中央よりＦ型レセプタクルが突設した非突出型のテレビ端子は，壁面に埋め込まれて取付けられているので，近年普及が著しい大型の液晶テレビ等は，前記テレビ端子が設置された壁面の近傍に，テレビ台などに乗せられて設置されることになる。つまりテレビとテレビ端子とを接続するケーブルはテレビ台等を動かさずには設置や取り外しがし難いので，一度接続したものは，長年にわたって接続された状態を維持することになる。ところが，このようなテレビやテレビ台の背後は埃などが溜まり易く，特に，前記テレビ端子は壁面の下部に設置されることから，掃除もやり難い。その上，この非突出型のテレビ端子は，同軸ケーブルコネクタを接続した状態で，同軸ケーブルコネクタに備えられた操作手段とパネルと開放面の間に形成される間隙が生じ，この間隙から凹部内に埃が入ってしまうと掃除がし難くなると言った構造的な問題を有していた。
【０００５】
また，近年では，パソコンにテレビチューナが内蔵されたものが一般的に成り，パソコンのモニタでテレビを楽しんだり，小型で軽量な液晶テレビでテレビを楽しんだりすることが増えてきている。つまり，パソコンや液晶テレビを自在に持ち運んで，必要な時に必要な場所でテレビを見るような使い方がされるようになってきている。従って，机や寝室のベッド，キッチンなどの近傍にあるテレビ端子に接続できればよく，テレビやノートパソコンとテレビ端子とを接続するケーブルは，その接続作業が簡単で且つ確実にできと共に，このようなお手軽さを有していても高周波特性や外部からの妨害電波に対する良好なイミュニティー特性を有することが必要であるばかりでなく，テレビ端子に備えられたパネルにマッチして見栄えのよくスッキリと配線できることが望まれている。
【０００６】
そこで本願においては，こうした問題点を解決するためになされたものであり，
その目的は，接続作業の容易な同軸ケーブルコネクタを提供する事にある。
他の目的は，接続作業が確実に行うことができる同軸ケーブルコネクタを提供する事にある。
他の目的は，特にパネルに形成された凹部内にその底面中央よりＦ型レセプタクルが突設した非突出型のテレビ端子に好適な同軸ケーブルコネクタを提供する事にある。
他の目的は，パネルに形成された凹部内にその底面中央よりＦ型レセプタクルが突設した非突出型のテレビ端子に接続したときに，凹部内に埃が入らない同軸ケーブルコネクタを提供することにある。
【課題を解決するための手段】
【０００７】
上記課題を解決するために，請求項１の発明は，少なくとも，同軸ケーブルの端部に装着するコネクタ本体と，コネクタ本体の前方に備えられた接続対象と接続するための接続手段と，該接続手段の外周上に嵌装された筒状の操作手段と，からなり，パネルに形成された所定深さの凹部内にその底面中央よりＦ型レセプタクルが突設したテレビジョン共同受信用直列ユニットにおける前記レセプタクルを、前記接続手段の接続対象とする同軸ケーブルコネクタにおいて，前記操作手段は，該操作手段の前方側開口端部に，径方向外方に突出させた環状突起を備えており，前記環状突起は、径方向外方に突出する前後方向の位置が、当該同軸ケーブルコネクタを前記レセプタクルに接続した場合に前記凹部の開放端面を閉塞できる位置に定められているように構成した。
【０００８】
請求項２の発明は，請求項１に記載の同軸ケーブルコネクタにおいて，前記環状突起の前方端部には，その外周が先細の前方先端部から肉厚を徐々に厚く成るように円錐状に形成された円錐状部が備えられ，該円錐状部の前方先端部の外周径は前記凹部の開放面の内周径より小さく，円錐状部の後方後端部の外周径は前記凹部の開放面の周径と同じか大きくなるように形成されており，前記環状突起は、径方向外方に突出する前後方向の位置が、当該同軸ケーブルコネクタを前記レセプタクルに接続した場合に前記凹部の開放端面を閉塞できる位置に定められているように構成した。
【発明の効果】
【０００９】
請求項１の発明によれば，請求項１の発明は，
少なくとも，同軸ケーブルの端部に装着するコネクタ本体と，コネクタ本体の前方に備えられた接続対象と接続するための接続手段と，該接続手段の外周上に嵌装された筒状の操作手段と，からなり，パネルに形成された所定深さの凹部内にその底面中央よりＦ型レセプタクルが突設したテレビジョン共同受信用直列ユニットにおける前記レセプタクルを、前記接続手段の接続対象とする同軸ケーブルコネクタにおいて，前記操作手段は，該操作手段の前方側開口端部に，径方向外方に突出させた環状突起を備えており，前記環状突起は、径方向外方に突出する前後方向の位置が、当該同軸ケーブルコネクタを前記レセプタクルに接続した場合に前記凹部の開放端面を閉塞できる位置に定められているように構成したので，近年普及が著しい大型の液晶テレビと，テレビが設置されたテレビ台等の背後にあるテレビ端子とを接続するような，テレビ台等を動かさずには設置や取り外しが難しい場所に用いても，指先を使って強固に接続することができるので，長年にわたって良好な接続状態を維持することができるのである。
また，上述のようにテレビやテレビ台の背後等のような，埃などが溜まり易い場所に設置されたテレビ端子は掃除もやり難く，その上，テレビ端子のパネルに形成された凹部が狭くて，一度入った埃を取り出すことが難しいのであるが，本発発明の同軸ケーブルコネクタを用いれば，操作手段に形成された環状突起によって，コネクタとパネルの開放面の間に形成される間隙が閉塞若しくは僅かな間隙となって，凹部内に埃が入ってしまう事が無くなるのである。
【００１０】
請求項２の発明によれば，請求項１に記載の同軸ケーブルコネクタにおいて，前記環状突起の前方端部には，その外周が先細の前方先端部から肉厚を徐々に厚く成るように円錐状に形成された円錐状部が備えられ，該円錐状部の前方先端部の外周径は前記凹部の開放面の内周径より小さく，円錐状部の後方後端部の外周径は前記凹部の開放面の周径と同じか大きくなるように形成されており，前記環状突起は、径方向外方に突出する前後方向の位置が、当該同軸ケーブルコネクタを前記レセプタクルに接続した場合に前記凹部の開放端面を閉塞できる位置に定められているように構成したので，環状突起が小径にでき，テレビ端子に備えられたパネルにマッチしたデザインにする事によって，見栄えのよいスッキリとした配線ができるのである。
【発明を実施するための最良の形態】
【００１１】
以下に，本発明を具体化した実施形態の例を，図面を基に詳細に説明する。
図１は本発明に係る第１実施形態の同軸ケーブルコネクタの説明図であり，一部を破断した断面図である。図２は同軸ケーブルコネクタを構成するコネクタ本体及び保持体の説明図であり，一部断面を示す。図３は同軸ケーブルコネクタを構成する同軸ケーブルカバーを示す説明図である。図４は同軸ケーブルコネクタを構成する接続筒の一部断面を示す説明図であり，（ａ）は上面図，（ｂ）は側面図である。図５は同軸ケーブルコネクタを構成する接続筒に備える円筒状操作手段の一部断面を示す説明図であり，（ａ）は上面図，（ｂ）は側面図である。図６は図４に示す接続筒に図５に示す円筒状操作手段を取付けた状態の説明図であり，（ａ）は上面図，（ｂ）は側面図である。図７は同軸ケーブルコネクタをテレビ端子に接続するときの説明図であり，（ａ）は接続前の状態を示し，（ｂ）は接続後の状態を示す。図８・図９は異なる実施例を示す。図１０は図４に示す接続筒の異なる実施例を示す説明図であり，（ａ）は上面図，（ｂ）は側面図である。
【実施例１】
【００１２】
先ず，本発明の第１実施形態について図１乃至図７を用いて説明する。図に示される１は本発明のコネクタ付き同軸ケーブルであり，同軸ケーブル３と，該同軸ケーブル３の一端に接続された同軸ケーブルコネクタ２とから構成されている。尚，図には示されていない同軸ケーブルの他端には，一端側と同様に同軸ケーブルコネクタ２を備えさせても良いし，備えさせなくてもよいなど実施例の限定されるものではない。
本発明の実施例に使用されている同軸ケーブル３は，中心導体３１と，該中心導体３１を中心に保持して取り巻くように備えられた内部絶縁体３２と，外部導体３３としての編組，保護被覆３４が同心配置するように構成されたものである。
【００１３】
前記同軸ケーブル３の一端は所定の加工がなされ，中心導体３１を所定長だけ露出させてあり，この中心導体３１の先端にはコンタクトピン８が半田付けやカシメなどの固着方法によって固着される。こうして組み付けが完了したなら同軸プラグを構成するコネクタ本体２０を同軸ケーブル３に装着する。
【００１４】
ここで，本発明の第１実施形態におけるコネクタ本体２０の詳細を説明する。図２によく示されるように，本発明の実施例ではコネクタ本体２０は例えば金属材料等の導電材を加工して成り，後方に同軸ケーブル３の内部絶縁体３２と編組３３との間に差し込まれ，コネクタ本体２０と編組３３とを電気的に接続するための円筒状挿入部２１と，該円筒状挿入部２１の前方に備えられた，円筒状挿入部より大径の円筒状部２５とから構成されている。この円筒状部２５は前記円筒状挿入部２１に段部２２を介して一体に形成された円筒状接続体２３と，該円筒状接続体２３とは別体で形成され，該円筒状接続体２３の前方側に固着された円筒状止着体２４とから構成されている。
円筒状接続体２３は，その外周に突条体２３ａ，２３ｂを備えると共に，内面には前方を開口した円筒状の空間２２３が形成されており，この空間２２３と前記円筒状挿入部２１の内部に形成された同軸ケーブル３の内部絶縁体３２を挿通するための挿通孔２０１は同一軸線上に連設されている。
円筒状止着体２４は，その後方側が前記円筒状接続体２３の前記内部空間２２３に圧入固着等によて固定される外形形状に形成されると共に，その前方端部には圧入部分より僅かに大径に形成された鍔部２４ａが形成されている。また，円筒状止着体２４の内部にはこの円筒状止着体２４の後方から前方にかけて，前記コンタクトピン８を保持するための保持体２６を挿通するための保持体挿通孔２０２が円筒状止着体２４と同心位置となるように形成されている。この保持体挿通孔２０２の右端には中央部に該保持体挿通孔２０２より僅かに小さい径の挿通孔を保持体挿通孔２０２と同一軸線上に形成する保持体止着片２０３が形成されており，保持体挿通孔２０２に挿通された保持体２６が前方に突出しないようにしている。
【００１５】
保持体２６は，例えば合成樹脂などの絶縁性を有する材料から形成されたものであり，コンタクトピン８とコネクタ本体２０の円筒状部２５とを同心位置に配置すると共に，それらの間を絶縁するためのものであり，例えば上述のように円柱状の合成樹脂材にコンタクトピン挿通孔を形成した一体構造で形成されている。
即ち，本発明の実施形態におけるコネクタ本体２０は次のように組み付けられる。先ず，円筒状止着体２４の内部に形成された保持体挿通孔２０２の後方開口端からコンタクトピン保持体２６を装着する。このとき円筒状止着体２４には，後に詳述する接続筒５０を予め挿着しておく。次に，円筒状止着体２４の後方側を前記円筒状接続体２３に圧入固着して組み付けが完了する。
この状態で，円筒状接続体２３の右端と円筒状止着体２４に形成された鍔部２４ａの後方側側面との間には環状溝部２３ｃが形成され，前記接続筒５０は該環状溝部２３ｃにおいて枢着されるように構成されている。
【００１６】
このように構成されたコネクタ本体２０には，コンタクトピン８が固着された同軸ケーブル３の右端が取付けられる。先ず，コンタクトピン８が，前記コネクタ本体２０に備えられた保持体２６の中心の軸線方向に形成されたコンタクトピン挿通孔２０４に挿入されるように，コネクタ本体２０を差込んでいく。更に差し込みを続けていくとコネクタ本体２０の後方に備えた前記円筒状挿入部２１が同軸ケーブル３の内部絶縁体３２と編組３３との間に差し込まれ，コネクタ本体２０と編組３３とは電気的に接続された状態となるのである。この接続時において同軸ケーブル３の外部被覆３４や編組３３の図における右端部が，円筒状挿入部２１と，該円筒状挿入部２１の前方に位置する前記円筒状接続部２３との間に形成される段部２２の後方側面２２ａに当接するまで差込装着される。従って，同軸ケーブルの加工は，同軸ケーブル３の外部被覆３４や編組３３の図における右端部が，前記段部２２の後方側面２２ａに当接した時に，内部絶縁体３２の右端が，前記段部２２の前方側面２２ｂ（空間２２３の内部後方端）がなす平面と同じ位置になるか，該平面より僅かに後方位置となるように，中心導体３１の露出寸法を決めればよい。
【００１７】
また，コンタクトピン８は前方側に対して，後方側を僅かに大径となるように構成すると共に，このコンタクトピン８を挿通するコンタクトピン挿通孔２０４の右端側を前記コンタクトピン８の前方側が挿通する程度の径の挿通孔２０５とすれば，同軸ケーブル３とコネクタ本体２０との接続完了時において，コンタクトピン８の径が異なることによって生じる段部と，コネクタピン挿通孔２０５とが形成する段部とが嵌合することになり，コネクタピン８の引く抜け方向にたいする力に対して動きを制限できるようになる。
また，図には示されていないが，前記挿通孔２０１の前方側に，内部絶縁体３２の径より僅かに小さく，前記コンタクトピン８の挿通が容易であって，該コンタクトピン８と適宜に離隔を有するように形成された挿通孔を備える止着部を備えることによって，コネクタ本体２０を同軸ケーブルに差込装着したときに，内部絶縁体３２の右端が前記止着部に当接するように構成してもよい。
【００１８】
このようにしてコネクタ本体２０と同軸ケーブル３との接続が確実にできたならば，予め同軸ケーブル３を挿通しておいた固定リング５を，円筒状挿入部２１が位置する同軸ケーブル３の外周からカシメ固着することによって機械的にも強固に接続される。この固定リングは金属材料からなるリング状に形成されたカシメ具であり，簡単な構成のカシメ用冶具などを使っての固着を実現できる。
尚，本発明の実施形態における同軸ケーブルの加工方法はこの実施例に限定されるものではなく，編組３３を折り返して接続してもよいなど強固に接続できればその加工方法は問わない。また，外部導体としての編組３３に加えてアルミ箔を備えた同軸ケーブルであっても良いし，編組が二重になった同軸ケーブルでもよくその種類は問わない。
また，前記円筒状挿入部２１の外周に，同軸ケーブル３の内部絶縁体３２と編組３３との間に差し込み易くすると共に，同軸ケーブル３の引き抜け方向の力に対して抜け難いようにするための突起部２１ａを備えることによって，同軸ケーブルの引く抜け方向に対して信頼性を高くすることができる。この突起部２１ａは少なくとも円筒状挿入部２１の先端にあればよく，適宜な間隔を置いて円筒状挿入部の外周面に複数箇所に設けてもよい。
また，同軸ケーブル３の中心導体３１の先端部にコンタクトピン８を接続した構成例を示したが，コネクタピン８の替わりに中心導体３１の露出寸法を長くして使用しても良い。またこの場合は，保持体２６を使ってもよいが，保持体２６の替わりに内部絶縁体３２を使用してもよい。
【００１９】
尚，上記組付け例は，保持体２６が一体構造からなる例を示したが，保持体２６が上下方向（長手方向に開口部を有する）に２分割した物を組み合せる構造としてもよい。即ち，コネクタピン８の中間部に，図には示されていない鍔部を形成し，該鍔部を挟み込むようにして分割形成した保持体を組み付けることで，該鍔部が保持体２６の内部において係止され，これによってコネクタピン８の前後方向への移動が制限され，引き抜け方向の力にも，押圧力にも強い高耐久性にすることができる。この場合のコネクタ本体２０と同軸ケーブル３の組付けは，コンタクトピン８が固着された同軸ケーブル３を円筒状挿入部２１，円筒状接続体２３に組付けた後に，円筒状接続体２３の前方側から，上保持体と下保持体でコンタクトピン８を挟み込むように組付ける。そして，保持体の組み付けが完了したなら円筒状止着体２４を円筒状接続体２３に圧入固着することによって完了する。
【００２０】
このようにコネクタ本体２０と同軸ケーブル３との組付けが完了したのならば，この接続部を被うように同軸ケーブルカバー１０が取付けられる。本発明の実施形態ではこの同軸ケーブルカバー１０は同軸ケーブル３の右端部と，円筒状挿入部２１と，円筒状接続部２３の外周面に形成された突条体２３を被うように構成されている。
図３に良く示されるように，この同軸ケーブルカバー１０は，全体形状が略円形状に形成された合成樹脂材を成形したものである。そしてその前方においては固定形状であり，その内部における係止溝部１３ａと段差部１３ｂとが夫々円筒状接続部２３の外周に形成された前記突条体２３ａ，２３ｂと嵌合している。即ち，突条体２３ａと係止溝部１３ａとの嵌合によって引き抜け方向（左方向の力）に対して，突条体２３ｂと段差１３ｂとの嵌合によって押し込み方向（右方向の力）に対して，夫々動きを制限して同軸ケーブルカバーが確実に固着されるように構成されている。
また同軸ケーブルカバー１０の後方においては屈曲性を持たせた蛇腹状の屈曲部１１が形成されおり，同軸ケーブル３が屈曲する力を吸収して接続部を保護している。尚，本発明の実施例における同軸ケーブルカバーは，合成樹脂材を前記接続部にモールド加工若しくは嵌め込みによって固着している。
【００２１】
次に，接続筒５０について詳細に説明する。図４によく示されるように本発明における接続筒５０は，前記コネクタ本体２０の円筒状部２５の外周に，円周方向に回動可能に枢着するように取付けられる円筒状基部５１と，該円筒状基部５１の前方側に延長させ，内周に接続対象のＦ型レセプタクルが挿入されるための拡開性を持つ円筒状受け口部５５とから構成された金属材料などの導電材を加工したものである。
前記円筒状基部５１の内面には軸心方向に突設した凸部５３が形成されており，該凸部５３が，前記円筒状止着体２４の後方側を前記円筒状接続体２３に圧入固着したときに形成される環状溝部２３ｃに嵌め込まれ，円筒状基部５１（即ち，接続筒５０）は円筒状部２５に回転自在に枢着される。即ち，接続筒５０の円筒状受け口部５５側から前記円筒状止着体２４を挿通し，その後に，該円筒状止着体２４を前記円筒状接続体２３に圧入する事によって組み立てが完了し抜け落ちることはない。
尚，図４における５２は円筒状基部５１の外周に形成されたローレットであり，５１ａ，５１ｂは円筒状基部５１の外周であって相対向する位置に形成された所定の大きさからなる一対の平面部であり，この平面部によって円筒状基部５１に２面幅が形成されている。
【００２２】
前記円筒状受け口部５５には，接続対象のＦ型レセプタクルの受入れを容易にすると共にＦ型レセプタクルの外部導体との接続をよくするために，該円筒状受け口部５５の前方端から後方にかけて軸方向に延びる少なくとも１つのすり割り５５ａが形成されている。更に，円筒状受け口部５５の先端部の外周には，リングバネ５６が備えられており，このリングバネ５６の締め付け作用によって円筒状受け口部５５内周とＦ型レセプタクルの外周とがより確実に接続されるように構成されている。
尚，すり割り５５ａに替えて，円筒状受け口部５５の内周に導電性を有した弾性材からなる軸方向に長いリング状のバネを備えさせてもよい。
【００２３】
更に，円筒状受け口部５５内面の後方部には，接続対象のＦ型レセプタクルの先端部に形成された雄ネジと螺合する雌ネジ部５７が形成されており，例えば本願の実施形態における雌ネジ部５７は，前記Ｆ型レセプタクルの雄ネジの先端部との間において略３回転螺合するようなネジ山数に形成すればよい。尚，本発明の実施形態においては，接続時間を短縮すると共に，引き抜け方向に対する強度を所定値以上となるように目標を定めたことから，略３回転螺合するようなネジ山数に形成したが，特に実施例に限定されるものではなく，３回転の螺合より多くても少なくてもよい。また，雌ネジ部の無い摺動だけによって固着するプッシュオン方式の同軸プラグにしても良いなど，円筒状受け口部の構造は問わない。
【００２４】
円筒状受け口部５５の奥行は，接続対象であるＦ型レセプタクルの軸方向の寸法が規格値における最小であるレセプタクルに対して螺合した状態で，前記円筒状部２５（言い換えれば，円筒状止着体２４）の右側開口端２７が前記Ｆ型レセプタクルの端面と当接する（即ち，プラグを締付けたときに，円筒状受け口部５５の前端が，Ｆ型レセプタクルが取付けられた台座，例えば，ハウジングやシールドケースなどの壁面に当接しない）ように円筒状受け口部５５の奥行が定められておれば，高周波特性やイミュニティーの優れたものとすることができる。
更に，円筒状受け口部５５に形成された前記すり割り５５ａは，例えば，プラグを接続対象のＦ型レセプタクルに摺動固着した状態で使用する場合を勘案して，円筒状受け口部５５に受入れたＦ型レセプタクルの寸法より僅かに短く形成すれば，すり割りによって生じる隙間がＦ型レセプタクルによって塞がれ，高周波信号が漏れたり，外部からの妨害電波によって影響を受けたりすることがない。
【００２５】
そして，円筒状基部５１に，図５に示される該円筒状基部５１の外周面の全て若しくは一部を被うように形成された合成樹脂材からなる円筒状操作手段４１を備えさせることによってＦ型レセプタクルへの接続作業を効率よく行うことができる。
本発明の実施例では，この円筒状操作手段４１は全体形状が略円形筒状で合成樹脂材からなり，前記円筒状基部５１に嵌め込まれたりモールド加工されたりして取付けられる。そして円筒状操作手段４１の外周面には，凸凹４３が適宜に形成されており，その滑り止め効果によって接続作業に容易性を持たせることができる。また，円筒状操作手段４１が弾性のある柔らかな素材で形成されておれば，指先に加わる負担も軽減される。
この円筒状操作手段４１を，図６に示すように円筒状基部５１に取付けた場合は，該円筒状部５１に形成された２面幅の平面部５１ａ，５１ｂに対向する位置に，夫々の平面部５１ａ，５１ｂに対応する形状に形成されて貫通した貫通孔４１ａ，４１ｂを形成し，該貫通孔４１ａ，４１ｂの，少なくとも円筒状操作手段４１の軸線に直交する方向の外周に形成される開口端面４２ａ，４２ｂが，前記平面部５１ａ，５１ｂと略同一平面上若しくは僅かに軸線側となるように構成することによって，円筒状操作手段４１を備えても，円筒状操作手段４１が接続筒５０の締付け性を損なうことがなく，指先での接続もできるし，レンチやスパナのような工具で直接に平面部５１ａ，５１ｂを挟み込んでの機械的な接続もできるのである。
【００２６】
更に，本発明の実施形態においては，円筒状操作手段４１は後方側開口端部の外周径より前方側開口端部の外周径の方を大きくして，円筒状操作手段４１の前方側開口端部の外周面に環状突起４５が備えられている。この環状突起４５の前方端部には，その外周が先細の前方先端部から肉厚を徐々に厚く成るように円錐状に形成された円錐状部４６が形成されており，この同軸ケーブルコネクタを，例えば図７に示されるように接続対象のＦ型レセプタクル８５がテレビ端子８０によく見られる円筒状の凹部８３に埋め込まれた非突出型のものに対して接続した時に，円錐状部４６の外周面４７が凹部８３の開放面周縁と当接するように，該円錐状部４６の前方先端部の外周径４６ａは前記凹部８３の開放面の内周径より小さく，円錐状部４６の後方後端部の外周径４６ｂは前記凹部８３の開放面の内周径と同じか大きくなるように形成されている。
【００２７】
即ち，本発明の実施形態に示す同軸ケーブルコネクタの目的の内の一つは，同軸ケーブルコネクタの接続の煩雑さを低減すると共に，それでも引き抜け難い接続ができるようにすることであり，そのため接続方法は，対象のＦ型レセプタクルが雌ネジ部５７に当接するまでは摺動によって挿着し，当接した後はＦ型レセプタクルの先端部に前記雌ネジ部５７を螺合させて接続が完了するように構成されている。従って，接続時には同軸ケーブルコネクタをＦ型レセプタクルに対して押付けるように力を加えながら行えば，その接続作業はスムーズで確実に行うことができる。つまり，前記環状突起４５は円筒状操作手段４１の前方側開口端部の径方向外方に突設されているので，指先を環状突起４５に当て付けることによって接続筒に対して押圧力を加え易くなり，雌ネジ部５７がＦ型レセプタクルにスムーズに螺合することができるのである。具体的には，例えば図７に示されるように接続対象のＦ型レセプタクル８５がテレビ端子８０によく見られる円筒状の凹部８３に埋め込まれた非突出型のものに対して接続する場合，凸凹４３の滑り止め効果と環状突起４５の押圧力の受止作用によって接続が簡単にできる。
そして，接続が完了した状態では，環状突起４５はパネル８２に近接して配設され，パネル８２から突出することが少なくなるのでスッキリと配線できるし，環状突起４５がテレビ端子に対して外方に突出しないので邪魔になることはない。加えて，環状突起４５に形成した円錐状部４６の外周面４７の任意の位置は，凹部８３の開放面周縁と当接して凹部８３を閉塞するので，凹部８３内に埃などが入らないのである。
また，同軸ケーブルコネクタグ２をレセプタクルから引き抜くためには，まず円筒状操作手段４１（即ち，接続筒）を回転操作すればよく，格別に環状突起４５を必要としないが，Ｆ型レセプタクルに対する螺合が解除されれば，パネル８２と環状突起４５との間の間隙が大きくなり，環状突起４５に指を掛け易くなることから，環状突起４５は同軸ケーブルコネクタの引き抜きを容易とする役目もするのである。
尚，環状突起４５は円錐状部４５を備えた例を示したが，特に円錐状部４５は無くてもよく，前記円筒状部２５（言い換えれば，円筒状止着体２４）の右側開口端２７が前この場合，環状突起４５の前方端がパネル８２に近接若しくは当接するように構成することによって凹部８３は閉塞される。
【００２８】
尚，図１０に示されるように，前記円筒状部２５（言い換えれば，円筒状止着体２４）の右側開口端２７と前記雌ネジ部５７との間に間隙を形成し，該間隙には円筒状受け口部５５に内接するように形成された導電性を有する弾性部材からなるリング状の緩衝部材５８を備えさせてもよい。即ち，雌ネジ部５７がＦ型レセプタクルの雄ネジに完全に螺合する前に，前記円錐状部４６の外周面４７が凹部の開放面周縁に当接してしまって，円筒状部２５の右側開口端２７とＦ型レセプタクルの先端が接続しなくても，緩衝部材５８が介在されたことによって接続筒５０とＦ型レセプタクルの外部導体との電気的接続を良好に保つことができる。また，雌ネジ部５７がＦ型レセプタクルの雄ネジに完全に螺合しても，前記円錐状部４６の外周面４７が凹部の開放面周縁に当接しない場合でも，更に接続筒を締付けることによって緩衝部材が弾性変形し，前記円錐状部４６の外周面４７が凹部の開放面周縁に当接若しくは近接させることができる。
【００２９】
以上，本発明の同軸ケーブルコネクタは，近年普及が著しい大型の液晶テレビと，テレビが設置されたテレビ台等の背後にあるテレビ端子とを接続するような，テレビ台等を動かさずには設置や取り外しが難しい場所に用いても，指先や工具を使って強固に接続することができるので，長年にわたって良好な接続状態を維持することができるのである。
また，上述のようにテレビやテレビ台の背後等のような，埃などが溜まり易い場所に設置されたテレビ端子は掃除もやり難く，その上，テレビ端子のパネルに形成された凹部が狭くて，一度入った埃を取り出すことが難しいのであるが，本発発明の同軸ケーブルコネクタを用いれば，操作手段に形成された環状突起によって，コネクタとパネルの開放面の間に形成される間隙が閉塞若しくは僅かな間隙となって，凹部内に埃が入ってしまう事が無くなるのである。
また，パソコンや液晶テレビを自在に持ち運んで，机や寝室のベッド，キッチンなどの近傍にあるテレビ端子を用いてテレビを見る場合であっても，テレビやノートパソコンとテレビ端子とを接続するケーブルに本発明のコネクタを用いることによって，接続作業が簡単で且つ確実にできる。また，環状突起をテレビ端子に備えられたパネルにマッチしたデザインにする事によって，見栄えのよいスッキリとした配線ができるのである。
尚，本発明は同軸ケーブルコネクタについての説明であるが，同軸ケーブル付きであってもよいなど，上記実施の形態に限定されるものではなく，本発明の趣旨を逸脱しない範囲で各部の構成を適宜に変更して実施することも可能である。
【図面の簡単な説明】
【００３０】
【図１】本発明に係る第１実施形態のプラグ付き同軸ケーブルの一部を破断した断面の説明図である。
【図２】プラグ付き同軸ケーブルを構成するコネクタ本体及び保持体の一部断面を示す説明図である。
【図３】プラグ付き同軸ケーブルを構成する同軸ケーブルカバーを示す説明図である。
【図４】プラグ付き同軸ケーブルを構成する接続筒の一部断面を示す説明図であり，（ａ）は上面図，（ｂ）は側面図である。
【図５】プラグ付き同軸ケーブルを構成する接続筒に備える円筒状操作手段の一部断面を示す説明図であり，（ａ）は上面図，（ｂ）は側面図である。
【図６】図４の接続筒に図５の円筒状操作手段を取付けた状態の説明図であり，（ａ）は上面図，（ｂ）は側面図である。
【図７】図５の接続筒に円筒状操作手段の異なる実施例を取付けた状態の説明図であり，（ａ）は上面図，（ｂ）は側面図である。
【図８】図７に示すプラグをテレビ端子に接続するときの説明図であり，（ａ）は接続前の状態を示し，（ｂ）は接続後の状態を示す。
【図９】本発明に係る第２実施形態のプラグ付き同軸ケーブルの一部を破断した断面の説明図である。
【図１０】図４に示す接続筒の異なる実施例を示す説明図であり，（ａ）は上面図，（ｂ）は側面図である。
【符号の説明】
【００３１】
１…コネクタ付き同軸ケーブル，２…同軸ケーブルコネクタ，３…同軸ケーブル，５…固定リング，１０…同軸ケーブルカバー，８…コンタクトピン，８ａ…後端部，１１…屈曲部，１３ａ…係止溝部，１３ｂ…段差部，２０…コネクタ本体，２１…円筒状挿入部，２１ａ…突起部，２２…段部，２２ａ…段部後方側面，２３…円筒状接続体，２３ａ・２３ｂ…突条体，２３ｃ…環状溝部，２４…円筒状止着体，２４ａ…鍔部，２５…円筒状部，２６…保持体，２７…開口端，３１…中心導体，３２…内部絶縁体，３３…外部導体，３４…保護被覆，４１…円筒状操作手段，４１ａ・４１ｂ…貫通孔，４２ａ・４２ｂ…開口端面，４３…凸凹，４５…指掛け，５０…接続筒，５１…円筒状基部，５１ａ・５１ｂ…平面部，５２…ローレット，５３…凸部，５５…円筒状受け口部，５５ａ…すり割り，５６…リングバネ，５７…雌ネジ部，５８…緩衝部材，８０…テレビ端子，８２…パネル，８３…凹部，８５…Ｆ型レセプタクル，２０１…挿通孔，２０２…保持体挿通孔，２０３…保持体止着片，２０４…コンタクトピン挿通孔，２０５…挿通孔，２０６…挿通孔
【図１】
0004709051.tif 000002
【図２】
0004709051.tif 000003
【図３】
0004709051.tif 000004
【図４】
0004709051.tif 000005
【図５】
0004709051.tif 000006
【図６】
0004709051.tif 000007
【図７】
0004709051.tif 000008
【図８】
0004709051.tif 000009
【図９】
0004709051.tif 000010
【図１０】
0004709051.tif 000011